(57)【要約】【課題】薬剤収容部の収容物、特に、必要量だけ切り取られた後の残りである端数包装体を取り出し易くした薬剤ケースを提供する。【解決手段】前壁１１、後壁１２、一対の側壁１３，１３、底壁１４を有し、上方が開口した薬剤収容部２を備え、前記薬剤収容部２は、前方に位置して前後寸法が相対的に小さい小収容部２１と、後方に位置して前後寸法が相対的に大きい大収容部２２と、を有し、前記小収容部２１は、底壁１４１から上方に突出した突出部３を有する薬剤ケースである。【選択図】図２
0003202361.tif 000002
【実用新案登録請求の範囲】
【請求項１】
前壁、後壁、一対の側壁、底壁を有し、上方が開口した薬剤収容部を備え、
前記薬剤収容部は、前方に位置して前後寸法が相対的に小さい小収容部と、後方に位置して前後寸法が相対的に大きい大収容部と、を有し、
前記小収容部は、前記底壁から上方に突出した突出部を有する薬剤ケース。
【請求項２】
前記小収容部は前記突出部を複数有する、請求項１に記載の薬剤ケース。
【請求項３】
前記複数の突出部は、前記底壁に対して一方向に延びる複数のリブ状部である、請求項２に記載の薬剤ケース。
【請求項４】
前記複数のリブ状部は前後方向に延びる、請求項３に記載の薬剤ケース。
【請求項５】
前記複数のリブ状部は等間隔に並ぶ、請求項３または４に記載の薬剤ケース。
【請求項６】
前記薬剤収容部には、薬剤が包装材料に包装された薬剤包装体が収容され、
前記薬剤包装体は複数片に細分化が可能とされており、
隣り合うリブ状部の間隔、または、各リブ状部と前記小収容部の周縁との間隔は、前記細分化された状態の薬剤包装体の寸法よりも小さい、請求項５に記載の薬剤ケース。
【請求項７】
隣り合うリブ状部の間隔は５mm〜１５mmである、請求項５または６に記載の薬剤ケース。
【考案の詳細な説明】
【技術分野】
【０００１】
本考案は、薬剤収納棚に配置される薬剤ケースに関するものである。
【背景技術】
【０００２】
調剤薬局等では、複数種類の薬剤を収納するために薬剤収納棚が用いられている。この薬剤収納棚は、例えば図１（Ａ）（Ｂ）に示すように、複数の薬剤ケースを引き出し可能に配置できるよう構成されている。
【０００３】
各薬剤ケースにおける薬剤収容部には薬剤包装体（例えば、錠剤（カプセルを含む）等がＰＴＰシートで包装されたＰＴＰシート包装体）の状態で薬剤を収納できる。特許文献１に記載の薬剤ケースにおける薬剤収容部は、前方に位置して前後寸法が相対的に小さい小収容部と、後方に位置して前後寸法が相対的に大きい大収容部とを有している。
【０００４】
小収容部には、過去の調剤の際に、処方に応じた必要量だけ切り取られた後の残りの薬剤包装体（ＰＴＰシート包装体）である端数包装体を収納し、大収容部には、切断されていない、または少量だけ切り取られた状態のＰＴＰシート包装体を収納して使用することが多い。
【０００５】
ここで、薬剤師等が小収容部に収納された端数包装体を取り出す際、端数包装体と小収容部の上面とが密着（面着）してしまって取り出し難いことがある。このため、調剤に時間がかかることがあって好ましくなかった。
【先行技術文献】
【特許文献】
【０００６】
【特許文献１】特許第５５０８２１３号公報（図１、図５）
【考案の概要】
【考案が解決しようとする課題】
【０００７】
そこで本考案は、薬剤収容部の収容物、特に端数包装体を取り出し易くした薬剤ケースを提供することを課題とする。
【課題を解決するための手段】
【０００８】
本考案の構成の一例に係る薬剤ケースは、前壁、後壁、一対の側壁、底壁により規定されて上方が開口した薬剤収容部を備え、前記薬剤収容部は、前方に位置して前後寸法が相対的に小さい小収容部と、後方に位置して前後寸法が相対的に大きい大収容部と、を有し、前記小収容部は、前記底壁から上方に突出した突出部を有する。
【０００９】
前記構成の一例によると、収容物と小収容部における底壁との間に突出部が介在することで、収容物を底壁から浮かせることができる。このため、収容物と底壁との密着を回避できることから、端数包装体等の収容物を小収容部から容易に取り出すことができる。
【００１０】
そして、前記小収容部は前記突出部を複数有するものとできる。
【００１１】
前記構成の一例によると、複数の突出部のうち少なくとも一部の上方に収容物を位置させられるので、収容物と小収容部の底壁との間の密着回避を確実にできる。
【００１２】
そして、前記複数の突出部は、前記底壁に対して一方向に延びる複数のリブ状部とできる。
【００１３】
前記構成の一例によると、各突出部が一方向に延びる形状であるため、形成が容易である。
【００１４】
そして、前記複数のリブ状部は前後方向に延びるものとできる。
【００１５】
前記構成の一例によると、収容物は小収容部から前方に取り出される。複数のリブ状部の形成された方向と収容物の取り出し方向とを一致できるため、収容物を容易に取り出すことができる。
【００１６】
そして、前記複数のリブ状部は等間隔に並ぶものとできる。
【００１７】
前記構成の一例によると、複数のリブ状部が均等に存在するため、複数のリブ状部と収容物との位置関係によって両者の当接状況にムラが生じにくい。このため、収容物と小収容部の底壁との間の密着回避が安定的になされる。
【００１８】
そして、前記薬剤収容部には、薬剤が包装材料に包装された薬剤包装体が収容され、前記薬剤包装体は複数片に細分化が可能とされており、隣り合うリブ状部の間隔、または、各リブ状部と前記小収容部の周縁との間隔は、前記細分化された状態の薬剤包装体の寸法よりも小さいものとできる。
【００１９】
前記構成の一例によると、隣り合うリブ状部の間、または、各リブ状部と小収容部の周縁との間に、細分化された状態の薬剤包装体（端数包装体）が落ち込まないため、細分化された状態の薬剤包装体（端数包装体）と小収容部の底壁との間の密着を回避できる。
【００２０】
そして、隣り合うリブ状部の間隔は５mm〜１５mmとできる。
【００２１】
前記構成の一例によると、リブ状部の間隔が１５mm以下であることにより、切り離されたＰＴＰシート包装体等、細分化された状態の薬剤包装体（端数包装体）であっても、薬剤包装体と小収容部の底壁との間の密着を回避できる。しかも、リブ状部の間隔が５mm以上であることにより、底壁の清掃が容易である。
【考案の効果】
【００２２】
本考案は、前記構成の一例によると、収容物と底壁との密着を回避できることから、収容物を小収容部から容易に取り出すことができる。このため、薬剤収容部の収容物、特に端数包装体を薬剤ケースから取り出し易くできる。
【図面の簡単な説明】
【００２３】
【図１】本考案の一実施形態に係る薬剤ケースが配置される薬剤収納棚（薬剤収納棚ユニット）を示し、（Ａ）は正面図、（Ｂ）は右側面図である。
【図２】同薬剤ケースを示す斜視図である。
【図３】同薬剤ケースを前後方向に沿って切断した場合の縦断面図である。
【図４】同薬剤ケースを小収容部で幅方向に沿って切断した場合の拡大斜視図である。
【図５】同薬剤ケースに薬剤包装体を収納した状態を示す平面図である。
【考案を実施するための形態】
【００２４】
次に、本考案につき、一実施形態を取り上げて説明を行う。以下における方向の表現は、図１（Ａ）に示した状態における方向に対応しており、図１（Ｂ）における左方を前方（または正面方向）とし、同右方を後方（または背面方向）とする。
【００２５】
本実施形態の薬剤ケース１は硬質樹脂製であり、薬剤収納棚Ａに配置される。薬剤収納棚Ａは図１（Ａ）（Ｂ）に示す薬剤収納棚ユニットＡ’における上部領域に位置しており、複数段の棚板Ｂ…Ｂ上に複数の薬剤ケース１…１を前方へと引き出し可能に配置できるものである。
【００２６】
薬剤ケース１は、直下に位置する棚板Ｂに保持された保持状態と、前記保持状態から前方に引き出された引き出し状態との間で前後方向に移動可能である。本実施形態の薬剤収納棚Ａには、上下方向に８段、左右方向に９列の薬剤ケース１…１を配置できる。個々の薬剤ケース１には通常、ＰＴＰシート等により包装された薬剤包装体Ｐの状態で薬剤が収納されている。なお、薬剤収納棚ユニットＡ’における下部領域に位置する引き出しＣには、調剤に関連する消耗品等、種々の物品を収納できる。また、薬剤収納棚Ａの下方には作業台Ｄが設けられており、例えば薬剤師等が調剤に関係する種々の作業をする際に用いられる。
【００２７】
薬剤ケース１は図２に示すような形状であり、前壁１１、後壁１２、一対の側壁１３，１３、底壁１４を有し、上方が開口した薬剤収容部２を備える。前壁１１は他の壁よりも低くなっており、薬剤包装体Ｐ等、収納物の前方への取り出しがしやすくなっている。
【００２８】
薬剤収容部２には、薬剤がＰＴＰシート等の包装材料に包装された薬剤包装体Ｐが収容される。なお、薬剤収容部２には、薬剤包装体Ｐが複数収容されていてもよい。この薬剤包装体Ｐは複数片に細分化が可能とされている。例えば図５に示すＰＴＰシート包装体では、隣り合う錠剤間にミシン目が形成されており、このミシン目を用いたり、鋏で切断したりすることでＰＴＰシートを切断し、少ない錠数単位に細分化することができる。薬剤師等は処方に応じ、ＰＴＰシートを適宜切断して調剤を行うことができる。
【００２９】
薬剤収容部２は、前方に位置して前後寸法が相対的に小さい小収容部２１と、後方に位置して前後寸法が相対的に大きい大収容部２２と、を有する。図５に示すように、大収容部２２には薬剤包装体Ｐとして、例えば切断されていない状態、または、少量だけ切り取られた状態のＰＴＰシート包装体を収納でき、小収容部２１には、薬剤包装体Ｐとして、例えば過去の調剤の際に、処方に応じた必要量だけ切り取られた後の残りである端数包装体としての端数シートＰ’を収納できる。図５には１錠分の端数シートＰ’と２錠分の端数シートＰ’とが小収容部２１に配置された状態が示されている。
【００３０】
小収容部２１は、水平な平坦面である底壁１４１と、この底壁１４１から上方に突出した突出部としてのリブ状部３とを有する。本実施形態では、底壁１４１とリブ状部３とは一体に形成されている。また、リブ状部３は底壁１４１から約１mm突出している。リブ状部３の、薬剤ケース１における幅方向での縦断面視形状は図４に示すような略半円状であって、突出高さは幅方向の中央が最も大きい。ただしリブ状部３の突出高さは限定されず、小収容部２１に収容される薬剤包装体Ｐに応じて適宜設定できる。
【００３１】
小収容部２１に面する前壁１１の後面１１１は、前方に向かうにつれ上昇する傾斜面とされている。また、前記前壁１１の後面における下部は湾曲面１１２とされており、薬剤師等が、小収容部２１に収容された薬剤包装体Ｐ（端数シートＰ’）を指先で滑らせてスムーズに前方に移動させることができる。
【００３２】
本実施形態では、リブ状部３は複数設けられている。各リブ状部３は底壁１４１において前後方向に延びる。リブ状部３は一方向に延びる形状であるため、形成が容易であるというメリットがある。
【００３３】
ここで、ＰＴＰシート包装体は底面が平面であることから、特に端数シートＰ’につき、底壁１４１における平坦面に密着（面着）してしまうと非常に取出しにくくなる。本実施形態の薬剤ケース１では、薬剤包装体Ｐと底壁１４１との間にリブ状部３が介在することで、底壁１４１における平坦面から薬剤包装体Ｐを浮かせることができる。このため、薬剤包装体Ｐと底壁１４１との間の密着を回避できるため、薬剤包装体Ｐ（特に端数シートＰ’）を小収容部２１から容易に取り出すことができる。更に、リブ状部３が複数設けられたことで、複数のリブ状部３…３のうち少なくとも一部の上方に薬剤包装体Ｐを位置させられるので、確実に薬剤包装体Ｐを浮かせることができ、薬剤包装体Ｐと底壁１４１との間の密着回避を確実にできる。また更に、各リブ状部３が前後方向に延びていることで、小収容部２１に収容された薬剤包装体Ｐは、薬剤師等の指先により底壁１４１上を滑らせるようにして、小収容部２１から前方に取り出されることから、複数のリブ状部３…３の形成された方向と薬剤包装体Ｐの取り出し方向を一致させられるため、薬剤包装体Ｐをリブ状部３上で前方に滑らせることができる。この方向の一致により、薬剤包装体Ｐを容易に取り出すことができる。
【００３４】
また、複数のリブ状部３…３は等間隔に並んでいる。従って、底壁１４１上に複数のリブ状部３…３が均等に存在するため、複数のリブ状部３…３と薬剤包装体Ｐとの位置関係によって両者の当接状況にムラが生じにくい。このため、薬剤包装体Ｐと底壁１４１との間の密着回避が安定的になされる。
【００３５】
複数のリブ状部３…３の形成に関しては具体的に、図５に示す、隣り合うリブ状部３，３の間隔３ｄ、または、リブ状部３が小収容部２１の周縁から離れて形成された場合（図示していない）の各リブ状部３と小収容部２１の周縁との間隔は、端数シートＰ’の寸法よりも小さく設定されている。より具体的に、隣り合うリブ状部３，３の間隔３ｄは５mm〜１５mmに設定されている。ここで、調剤される大多数の端数シートＰ’は、一辺の寸法（端数シートＰ’の縦横寸法のうち短い方の辺の寸法）が１５mmを超えている。このため、前記設定により、隣り合うリブ状部３，３の間、または、各リブ状部３と小収容部２１の周縁との間に、大多数の端数シートＰ’が落ち込まないようにできる。よって、薬剤包装体Ｐと底壁１４１との間の密着を回避できる。また、隣り合うリブ状部３，３の間隔が５mm以上であることにより、隣り合うリブ状部３，３の間に対し、薬剤師等の指や布による拭き掃除が可能である。このため、底壁１４１の清掃が容易である。
【００３６】
次に、大収容部２２における底壁１４２は、図３に示すように、前方から後方に向かうにつれ下降する傾斜面を有する。傾斜面により薬剤包装体Ｐに対して後方に向かう力をかけることができるため、大収容部２２に薬剤包装体Ｐを安定して配置できる。また、大収容部２２における前端が最も高い位置であるため、薬剤包装体Ｐを高い位置にもってくることができ、大収容部２２に収容された薬剤包装体Ｐを取り出しやすい。
【００３７】
また、小収容部２１における底壁１４１は、大収容部２２における底壁１４２よりも下方に位置する。つまり、小収容部２１が大収容部２２に比べて凹んでいる。このため、小収容部２１に薬剤包装体Ｐを安定して配置できる。
【００３８】
また、前壁１１の上端１１ｓは、大収容部２２における底壁１４２の前端１４２ｆよりも上方に位置する。このように構成されたことで、小収容部２１から前方に薬剤包装体Ｐがこぼれにくく、小収容部２１に薬剤包装体Ｐを安定して配置できる。
【００３９】
以上、本考案の一実施形態について説明したが、本考案は前記実施形態に限定されるものではなく、本考案の要旨を逸脱しない範囲内において種々の変更を加えることができる。
【００４０】
突出部は、前記実施形態では複数設けられていたがこれに限定されない。例えば、１本であるが「一筆書き」状に配置されたもの（例えば「渦巻き」状や「ジグザグ」状）であってもよい。
【００４１】
また、突出部は小収容部２１の底壁１４１と一体に形成されたものに限られず、例えば、底壁１４１にシール等の別部材を取り付けて形成されたものであってもよい。
【００４２】
また、突出部の形状は前記実施形態のリブ状部３に限定されない。例えば点状の突起、間欠的に形成された直線状の突起等、種々の形状で実施できる。
【符号の説明】
【００４３】
１          薬剤ケース
１１        前壁
１１ｓ      前壁の上端
１２        後壁
１３        側壁
１４        底壁（全体）
１４１      小収容部における底壁
１４２      大収容部における底壁
１４２ｆ    大収容部における底壁の前端
２          薬剤収容部
２１        小収容部
２２        大収容部
３          突出部、リブ状部
３ｄ        隣り合うリブ状部の間隔
Ａ          薬剤収納棚
Ｐ          収容物、薬剤包装体
Ｐ’        細分化された状態の薬剤包装体、端数包装体、端数シート
【図１】
0003202361.tif 000003
【図２】
0003202361.tif 000004
【図３】
0003202361.tif 000005
【図４】
0003202361.tif 000006
【図５】
0003202361.tif 000007